(57)【要約】【課題】回転子の位置推定誤差の増加が速い状態で安定した回転を実現し、かつ高速回転可能な電動機駆動装置を実現する。【解決手段】三相電動機の負荷量を負荷量検出手段１９を用いて検出し、検出した三相電動機の負荷量が予め設定された負荷量以上の場合のみ、推定された回転数と目標回転数から指令回転数を決定する比例積分演算を比例積分微分演算に切り換える。【選択図】図１
2006296066.tif 000002
【特許請求の範囲】
【請求項１】
三相電動機と、インバータと、前記三相電動機に流れる相電流を検出する電流検出手段と、前記インバータに接続される直流電源の直流電圧検出手段と、前記インバータが出力する電圧値と前記電流検出手段により検出される電流値とから前記電動機の誘起電圧を推定する誘起電圧推定手段と、推定された誘起電圧推定値に基づいて前記電動機の回転子磁極位置と回転速度を推定する回転子位置速度検出手段と、推定された回転速度と目標の回転数から比例積分演算を用いて指令回転数を決定し、前記指令回転数からインバータを制御するＰＷＭ信号を生成するＰＷＭ信号生成手段と、前記三相電動機の負荷量を検出する負荷量検出手段とから構成される電動機駆動装置において、前記負荷量検出手段で検出された負荷量が予め設定された値以上の場合、指令回転数を決定する比例積分演算を比例積分微分演算に切換えることを特徴とする電動機駆動装置。
【請求項２】
三相電動機の相電流をインバータ母線から検出する請求項１記載の電動機駆動装置。
【請求項３】
三相電動機の相電流を電流センサを用いて検出する請求項１記載の電動機駆動装置。
【請求項４】
空気調和機の室外機に、圧縮機の吐出口と吸入口のそれぞれに冷媒の圧力を検出する圧力検出手段を備え、前記吐出口と吸入口の圧力差を三相電動機の負荷量とする、請求項１〜３記載の電動機駆動装置を用いたことを特徴とする空気調和機。
【請求項５】
空気調和機の室内機の熱交換器に熱交換器温度を検出する室内熱交換器温度検出手段と、室外機の熱交換器に熱交換器温度を検出する室外熱交換器温度検出手段を有し、暖房運転時には室内機に配した室内熱交換器温度検出手段を、冷房運転時には室外機に配した室外熱交換器温度検出手段を用いて、それぞれの熱交換器温度を検出し、検出した熱交換器温度を三相電動機の負荷量とする、請求項１〜３記載の電動機駆動装置を用いたことを特徴とする空気調和機。
【発明の詳細な説明】
【技術分野】
【０００１】
本発明は、ブラシレスＤＣモータなどの電動機を任意の回転数で駆動する電動機駆動装置に関するものである。
【背景技術】
【０００２】
近年、空気調和機における圧縮機などの電動機を駆動する装置においては、地球環境保護の観点から消費電力を低減する必要性が大きくなっている。その中で、省電力の技術の一つとして、ブラシレスＤＣモータのような効率の高い電動機を任意の周波数で駆動するインバータなどが広く一般に使用されている。さらに、駆動する技術としては、矩形波状の電流により駆動を行う矩形波駆動に対して、より効率が高く、騒音も低くすることが可能な正弦波駆動技術が主流となりつつある。
【０００３】
空気調和機における圧縮機のような電動機を駆動する場合、電動機の回転子の位置を検出するセンサを取り付けることが困難であるため、回転子の位置を何らかの方法で推定しながら駆動を行う位置センサレス正弦波駆動の技術も発明されている。回転子の位置を推定する方法として、電動機の誘起電圧を推定することにより行う方法があり、インバータ母線に流れる電流から推定する方法や（例えば、特許文献１）、電流センサを用いて電動機に流れる電流から推定する方法（例えば、特許文献２）が発明されている。
【０００４】
図３に特許文献１記載の位置センサレス正弦波駆動を実現するためのシステム構成を示す。１は直流電源、２はインバータ、３はブラシレスモータ、４は固定子、５は回転子、６は制御部である。
【０００５】
ブラシレスモータ３は、中性点を中心にＹ結線された３つの相巻線４ｕ、４ｖ、４ｗが取り付けられる固定子４、および磁石が装着されている回転子５を備える。Ｕ相巻線４ｕの非結線端にＵ相端子８ｕ、Ｖ相巻線４ｖの非結線端にＶ相端子８ｖ、Ｗ相巻線４ｗの非結線端にＷ相端子８ｗが接続される。
【０００６】
インバータ２は、一対のスイッチング素子が電流の上流側と下流側の関係に直列接続された直列回路を、Ｕ相用、Ｖ相用、Ｗ相用として３つ有する。これら直列回路に、直流電源１から出力されるＤＣ電圧が印加される。Ｕ相用の直列回路は、上流側スイッチング素子１２ｕ、および下流側スイッチング素子１３ｕより成る。Ｖ相用の直列回路は、上流側スイッチング素子１２ｖ、および下流側スイッチング素子１３ｖより成る。Ｗ相用の直列回路は、上流側スイッチング素子１２ｗ、および下流側スイッチング素子１２ｗより成る。なお、フリーホイールダイオード１４ｕ、１４ｖ、１４ｗ、１５ｕ、１５ｖ、１５ｗが、各スイッチング素子と並列に接続される。
【０００７】
インバータ２におけるスイッチング素子１２ｕ、１３ｕの相互接続点、スイッチング素子１２ｖ、１３ｖの相互接続点、およびスイッチング素子１２ｗ、１３ｗの相互接続点に、ブラシレスモータ３の端子８ｕ、８ｖ、８ｗがそれぞれ接続される。
【０００８】
インバータ２に印加されている直流電圧は、上述したインバータ２内のスイッチング素子などの回路によって三相の交流電圧に変換され、それによりブラシレスモータ３が駆動される。
【０００９】
外部より与えられる目標速度を実現するべく、現在の速度との誤差から演算された出力電圧を出力するために、ＰＷＭ信号生成手段９によりインバータ２のスイッチング素子を
駆動するＰＷＭ信号が生成され、スイッチング素子を電気的に駆動するためのドライブ信号にベースドライバ１０により変換され、各スイッチング素子１２ｕ、１２ｖ、１２ｗ、１３ｕ、１３ｖ、１３ｗが動作する。
【００１０】
制御部６は、インバータ母線に配した電流検出手段７により検出されたブラシレスモータ３の相電流と、ＰＷＭ信号生成手段９で演算される出力電圧とインバータ印加電圧検出手段１６が検出した直流電源１から出力されるＤＣ電圧より、ブラシレスモータ３の誘起電圧が誘起電圧推定手段１７により推定される。さらに推定された誘起電圧から、回転子位置推定手段１８でブラシレスモータ３の回転子磁極位置および速度を推定する。
【００１１】
ＰＷＭ信号生成手段９は、回転子位置推定手段１８で推定された回転数と、目標回転数から比例積分演算を用いて指令速度を決定し、決定した指令速度に基づいてインバータ２を制御する信号を出力する。
【００１２】
以上のような回路構成にて、ブラシレスモータ３の駆動制御を行っている。
【特許文献１】特開２００３−１８９６７０号公報
【特許文献２】特開２０００−３５０４８９号公報
【発明の開示】
【発明が解決しようとする課題】
【００１３】
しかしながら、前記従来の誘起電圧の推定による位置センサレス正弦波駆動においては、電動機の負荷が重い状態では位置推定誤差の増加が速く、生じた位置推定誤差により脱調するという課題を有していた。本発明は上記の課題を解決するもので、回転子の位置推定誤差の増加が速い状態で脱調を防止し、安定した駆動を実現する電動機駆動装置を提供することを目的とする。
【課題を解決するための手段】
【００１４】
前記従来の課題を解決するために、本発明の電動機駆動装置は、負荷量検出手段を設け、負荷検出手段で検出した負荷が予め設定された値を超えた場合、回転数と目標回転数から指令回転数を決定する演算式を比例積分演算（ＰＩ制御）から微分項を加えた比例積分微分演算（ＰＩＤ制御）に切り換えることにより、目標速度を実現するためのインバータに印加する電圧追従性を向上させ、回転子の位置推定誤差の増加が速い状態で安定した駆動が可能な電動機駆動装置を実現するものである。
【発明の効果】
【００１５】
本発明の電動機駆動装置は回転子の位置推定誤差の増加が速い状態で安定した駆動が可能な電動機駆動装置を実現するもことができる。
【発明を実施するための最良の形態】
【００１６】
第１の発明は、三相電動機の負荷量を検出する負荷量検出手段を設け、負荷量検出手段で検出した負荷量が予め設定された値以上の場合のみ、推定された回転数と目標回転数から指令回転数を決定する演算式を比例積分演算（ＰＩ制御）から微分項を加えた比例積分微分演算（ＰＩＤ制御）切り換えることにより、目標速度を実現するためのインバータに印加する電圧追従性を向上し、回転子の位置推定誤差の増加が速い状態で安定した駆動が可能な電動機駆動装置を実現するものである。
【００１７】
第２の発明は、特に、第１の発明の三相電動機に流れる相電流の検出をインバータ母線に配した電流検出手段を用いて検出するもので、低コストで相電流をすることができる。
【００１８】
第３の発明は、特に、第１の発明の三相電動機に流れる相電流の検出を電流センサを用
いて検出するもので、精度よく相電流を検出することができる。
【００１９】
第４の発明は、特に、第１から第３の発明の電動機駆動装置を圧縮機の吐出口と吸入口に圧力検出手段を備えた空気調和機に使用し、圧縮機の吐出口と吸入口の差を三相電動機に負荷量とすることにより、負荷量検出手段を新たに設けることなく、安価でかつ回転子の位置推定誤差の増加が速い状態で安定した駆動が可能な電動機駆動装置を実現するものである。
【００２０】
第５の発明は、特に、第１から第３の発明の電動機駆動装置を、室内機と室外機のそれぞれに熱交換器温度検出手段を備えた空気調和機に使用し、暖房運転時には、室内機の熱交換器に配した室内熱交換器温度検出手段を用い、冷房運転時には室外機の熱交換器に配した室外熱交換器温度検出手段を用い、それぞれの運転状態において検出した熱交換の温度を三相電動機に負荷量とすることにより、負荷量検出手段を新たに設けることなく、安価でかつ回転子の位置推定誤差の増加が速い状態で安定した駆動が可能な電動機駆動装置を実現するものである。
【００２１】
以下、本発明の実施の形態について、図面を参照しながら説明する。なお、この実施の形態によって本発明が限定されるものではない。
【００２２】
（実施の形態１）
図１は本発明の第１の実施の形態におけるブロック図である。１は直流電源、２はインバータ、３はブラシレスモータ（三相電動機）、４は固定子、５は回転子、６は制御部である。
【００２３】
ブラシレスモータ３は、中性点を中心にＹ結線された３つの相巻線４ｕ、４ｖ、４ｗが取り付けられる固定子４、および磁石が装着されている回転子５を備える。Ｕ相巻線４ｕの非結線端にＵ相端子８ｕ、Ｖ相巻線４ｖの非結線端にＶ相端子８ｖ、Ｗ相巻線４ｗの非結線端にＷ相端子８ｗが接続される。
【００２４】
インバータ２は、一対のスイッチング素子が電流の上流側と下流側の関係に直列接続された直列回路を、Ｕ相用、Ｖ相用、Ｗ相用として３つ有する。これら直列回路に、直流電源１から出力されるＤＣ電圧が印加される。Ｕ相用の直列回路は、上流側スイッチング素子１２ｕ、および下流側スイッチング素子１３ｕより成る。Ｖ相用の直列回路は、上流側スイッチング素子１２ｖ、および下流側スイッチング素子１３ｖより成る。Ｗ相用の直列回路は、上流側スイッチング素子１２ｗ、および下流側スイッチング素子１２ｗより成る。なお、フリーホイールダイオード１４ｕ、１４ｖ、１４ｗ、１５ｕ、１５ｖ、１５ｗが、各スイッチング素子と並列に接続される。
【００２５】
インバータ２におけるスイッチング素子１２ｕ、１３ｕの相互接続点、スイッチング素子１２ｖ、１３ｖの相互接続点、およびスイッチング素子１２ｗ、１３ｗの相互接続点に、ブラシレスモータ３の端子８ｕ、８ｖ、８ｗがそれぞれ接続される。
【００２６】
インバータ２に印加されている直流電圧は、上述したインバータ２内のスイッチング素子などの回路によって三相の交流電圧に変換され、それによりブラシレスモータ３が駆動される。
【００２７】
外部より与えられる目標速度を実現するべく、現在の速度との誤差から演算された出力電圧を出力するために、ＰＷＭ信号生成手段９によりインバータ２のスイッチング素子を駆動するＰＷＭ信号が生成され、スイッチング素子を電気的に駆動するためのドライブ信号にベースドライバ１０により変換され、各スイッチング素子１２ｕ、１２ｖ、１２ｗ、
１３ｕ、１３ｖ、１３ｗが動作する。
【００２８】
制御部６は、インバータ母線に配した電流検出手段７により検出されたブラシレスモータ３の相電流と、ＰＷＭ信号生成手段９で演算される出力電圧とインバータ印加電圧検出手段１６が検出した直流電源１から出力されるＤＣ電圧より、ブラシレスモータ３の誘起電圧が誘起電圧推定手段１７により推定される。さらに推定された誘起電圧から、回転子位置推定手段１８でブラシレスモータ３の回転子磁極位置および速度を推定する。
【００２９】
ＰＷＭ信号生成手段９は、回転子位置推定手段１８で推定された回転数と、目標回転数から比例積分演算（ＰＩ制御）を用いて指令速度を決定し、決定した指令速度に基づいてインバータ２を制御する信号を出力する。指令回転数演算切換え手段１１では、ブラシレスモータ３の負荷量を検出する負荷量検出手段１９で検出した負荷量が予め設定された値以上と未満の場合とで、指令速度を決定する演算式を比例積分演算（ＰＩ制御）、もしくは微分項を加えた比例積分微分演算（ＰＩＤ制御）の切換えを行っている。比例積分演算（ＰＩ制御）および比例積分微分演算（ＰＩＤ制御）の切り換えは負荷量が予め設定された値以上の場合、回転子の位置推定誤差の増加が速く、脱調しやすいと判断し、比例積分微分演算（ＰＩＤ制御）とするもので、目標回転数を実現するためのインバータ２に印加する電圧が追従しやすくなるため、安定した回転を得ることが可能となる。
【００３０】
（実施の形態２）
図２は本発明の第２の実施の形態におけるブロック図であり、ブラシレスモータ３に流れる相電流を電流センサ２０ｖ、２０ｗを用いて検出することにより、相電流を精度よく検出するものであり、その他の構成および動作は第１の実施の形態と同様であるため、説明を省略する。
【００３１】
（実施の形態３）
図３は本発明の第３の実施の形態におけるブロック図である。２１は空気調和機の室外機であり、２２は圧縮機、２３は圧縮機の吐出口に配した吐出口圧力検出手段、２４は圧縮機の吸入口に配した吸入口圧力検出手段である。
【００３２】
吐出口圧力検出手段２３と吸入口圧力検出手段２４で検出した圧力の差を演算し、演算された圧力差を負荷量とすることで、負荷量検出手段１９を新たに設けることなく、安価でかつ回転子の位置推定誤差の増加が速い状態で安定した駆動が可能な電動機駆動装置を実現することができる。
【００３３】
（実施の形態４）
図４は本発明の第４の実施の形態におけるブロック図である。２５は空気調和機の室内機であり、２６は交流電源、２７は室内機２５から供給される交流電圧を直流電圧に変換する直流電圧生成部、２８は室内機２５の熱交換器に配した室内熱交換器温度検出手段、２９は室外機２１の熱交換器に配した室外熱交換器温度検出手段である。
【００３４】
冷房運転時には、室外熱交換器温度検出手段２９で検出した室外熱交換温度を、暖房運転時には室内熱交換機温度検出手段２８で検出した室内熱交換機温度を負荷量とすることで、負荷量検出手段１９を新たに設けることなく、安価でかつ回転子の位置推定誤差の増加が速い状態で安定した駆動が可能な電動機駆動装置を実現することができる。
【産業上の利用可能性】
【００３５】
以上のように、本発明の電動機駆動装置は、回転子の位置推定誤差の増加が速い状態で安定した駆動が可能となるので、位置センサレスブラシレスＤＣモータを使用する産業機器、製品等の用途にも使用できる。
【図面の簡単な説明】
【００３６】
【図１】本発明の実施の形態１における電動機駆動装置のブロック図
【図２】本発明の実施の形態２における電動機駆動装置のブロック図
【図３】本発明の実施の形態３における空気調和機のブロック図
【図４】本発明の実施の形態４における空気調和機のブロック図
【図５】従来の電流センサレス電動機駆動装置のブロック図
【図６】従来の電流センサ付き電動機駆動装置のブロック図
【符号の説明】
【００３７】
２  インバータ
３  ブラシレスモータ（三相電動機）
６  制御部
７  電流検出手段
９  ＰＷＭ信号生成手段
１０  ベースドライバ
１１  指令回転数演算切換え手段
１６  インバータ印加電圧検出手段
１７  誘起電圧推定手段
１８  回転子位置速度推定手段
１９  負荷量検出手段
【図１】
2006296066.tif 000003
【図２】
2006296066.tif 000004
【図３】
2006296066.tif 000005
【図４】
2006296066.tif 000006
【図５】
2006296066.tif 000007
【図６】
2006296066.tif 000008